(57)【特許請求の範囲】
【請求項１】
平板状に形成された木製基板と、この基板に貼り合わせる平板状の化粧材とで化粧ボードを構成するとともに、少なくとも前記基板と化粧材のいずれか一方に、木口加工により飾り加工が施された縁部を形成し、前記基板と化粧材の表面に塗装層を形成して仕上げた後、前記基板と化粧材とを貼り合せて化粧ボードを一体化し、この化粧ボードを曲面状に曲げ加工したことを特徴とする曲面状化粧ボードの曲面形成方法。
【請求項２】
前記基板と化粧材の貼り合せ時に、基板と化粧材とを位置決めする位置決め手段を設けたことを特徴とする請求項１記載の曲面状化粧ボードの曲面形成方法。
【請求項３】
前記化粧材が前記基板と異質材料で形成されていることを特徴とする請求項１又は２記載の曲面状化粧材の曲面形成方法。
【請求項４】
前記位置決め手段が、前記基板と前記化粧材の接合面に設けた係合凸部と、この係合凸部と嵌合する係合凹部によって構成されていることを特徴とする請求項２記載の曲面状化粧材の曲面形成方法。
【請求項５】
前記基板に複数の化粧材を積層したことを特徴とする請求項１〜４の何れか１項に記載の曲面状化粧材の曲面形成方法。
【請求項６】
平板状に形成された２枚の基板により化粧ボードを構成するとともに、少なくとも前記各基板の内縁に木口加工により段差溝を形成した後、これら基板を貼り合せて化粧ボードを一体化して曲面状に曲げ加工し、この曲面状に曲げ加工した化粧ボードを布地で被覆した時、その布地の裏面側に形成される縫い代を前記段差溝によって形成される凹溝内に収容したことを特徴とする曲面状化粧ボードの曲面形成方法。
【発明の詳細な説明】
【０００１】
【発明の属する技術分野】
本発明は、ベッドのヘッドボードや椅子の背板やひじ掛けなどの家具等に用いられる装飾パネルや扉パネルや間仕切り板などの建築用として使用される曲面状化粧ボードの曲面形成方法に関する。
【０００２】
【発明が解決しようとする課題】
従来、各種の家具製品において、曲面状にデザインする場合、家具を作る素材として合成樹脂や金属などを使用する場合、成形型によって簡単に形成することができるため、簡単に曲面状の造形が可能である。しかし、木製の家具は、一般に平板状の板材を加工して作るものであるため、家具の一部などに曲面的なデザインを採用する場合、予め所定のサイズに裁断した平板状の木材をプレス機などによって曲面状に曲げていた。ところで、例えば、ベッドのヘッドボードなどでは、一般に周縁部を木口加工して角部を湾曲状に面取りしたり、あるいは、ヘッドボードのデザイン性を高めるために、ヘッドボードの表面を凹凸状の飾り模様などを施す場合がある。このような木口加工やヘッドボード表面の飾り模様などは切削機械により加工し、このように木口加工やヘッドボード表面の飾り模様を施したヘッドボードは最終的に塗装して仕上げている。しかし、前述したように、例えば、ヘッドボード全体を曲面状にデザインする場合、前述したように平板の木材を曲面状に曲げ加工を行った後、周縁の木口加工や表面の飾り加工あるいは塗装を行うには、板材の曲率に沿わせるように切削加工機械や塗装用のノズルを三次元的に制御する必要がある。特に、板材の周縁の木口加工は、ヘッドボードの外郭形状に沿い、かつ、板材の曲率に沿わせるように制御することになるため、これを切削機械で自動化するとなると、極めて複雑な制御を行う必要があるため、このような複雑な加工を切削機械で自動化するとなると高価な５軸制御マシンを用いなければ行なえない。このため、こうしたヘッドボードなどの木質の家具などにおいて曲面的のデザインを採用する場合の多くは、単に平板状のボードを湾曲させただけのものが多く木口加工といった加工を行なっていないのが一般的であった。すなわち、一般的には木製質系素材の場合は、素材そのものに水分含有率にばらつきがあり、そのうえ材料の保存状態（倉庫の状態）にもばらつきがあり、さらに加工時の温度・湿度でも一定値が保たれにくいため、曲げ角度が一定に保たれにくい。その上バックラッシュがでるため、曲げた後の加工処理は製造上困難を極める。単純な弧丸であれば加工可能であるが精巧なもの、精度の高いものは大変難しい。
【０００３】
本発明は斯かる点に鑑みてなされたもので、その目的とするところは、曲面状に形成した化粧材に施す各種の仕上げ加工を高価な５軸制御マシンを用いることなく簡単に加工することができ、よってよりデザインの自由度を高めることができる曲面状化粧ボードの曲面形成方法を提供することにある。
【０００４】
【課題を解決するための手段】
上記の目的を達成するために、本発明の請求項１の曲面状化粧ボードの曲面形成方法は、平板状に形成された木製基板と、この基板に貼り合わせる平板状の化粧材とで化粧ボードを構成するとともに、少なくとも前記基板と化粧材のいずれか一方に、木口加工により飾り加工が施された縁部を形成し、前記基板と化粧材の表面に塗装層を形成して仕上げた後、前記基板と化粧材とを貼り合せて化粧ボードを一体化し、この化粧ボードを曲面状に曲げ加工したものである。
【０００５】
上記の構成によれば、基板又は化粧材あるいは基板と化粧材の双方が平板の状態で木口加工を行い、かつ、塗装仕上げした後、湾曲状に成形する。よって、基板や化粧材の周縁を切削機械などで木口加工を行う場合、基板又は化粧材の周縁に沿うように制御すればよいため、基板や化粧材の曲面に沿わるような三次元的な制御を行う必要はなく、生産加工性に優れる。しかも、曲面状に成形した基板や化粧材の周縁には木口加工により飾り加工が施された縁部が形成される。
【０００６】
本発明の請求項２の曲面状化粧ボードの曲面形成方法は、請求項１記載の曲面状化粧ボードの曲面形成方法において、前記基板と化粧材の貼り合せ時に、基板と化粧材とを位置決めする位置決め手段を設けたものである。
【０００７】
このようにすると、基板と化粧材を貼り合せて一体化した後、化粧ボードを曲げる際、基板と化粧材がずれることなく、基板に対して化粧材が正確に固定される。
【０００８】
本発明の請求項３の曲面状化粧ボードの曲面形成方法は、請求項１又は２記載の曲面状化粧ボードの曲面形成方法において、前記化粧材が前記基板と異質材料で形成されているものである。
【０００９】
このように、記基板と化粧材とを異質材料で形成することでデザインの自由度が高まる。
【００１０】
本発明の請求項４の曲面状化粧ボードの曲面形成方法は、請求項２記載の曲面状化粧材の曲面形成方法において、前記位置決め手段が、前記基板と前記化粧材の接合面に設けた係合凸部と、この係合凸部と嵌合する係合凹部によって構成されているものである。
【００１１】
係合凸部と係合凹部とを嵌合することで、基板と化粧材を貼り合せて一体化した後、化粧ボードを曲げる際、基板と化粧材がずれることなく、基板に対して化粧材が正確に固定される。
【００１２】
本発明の請求項５の曲面状化粧ボードの曲面形成方法は、前記基板に複数の化粧材を積層したものである。
【００１３】
このようにすると、基板に積層した化粧材により、立体的な化粧ボードが得られる。
【００１４】
本発明の請求項６の曲面状化粧ボードの曲面形成方法は、平板状に形成された２枚の基板により化粧ボードを構成するとともに、少なくとも前記各基板の内縁に木口加工により段差溝を形成した後、これら基板を貼り合せて化粧ボードを一体化して曲面状に曲げ加工し、この曲面状に曲げ加工した化粧ボードを布地で被覆した時、その布地の裏面側に形成される縫い代を前記段差溝によって形成される凹溝内に収容したものである。
【００１５】
このように、曲面状に形成した化粧ボードを布地で覆う場合、２枚の布地を縫い合わせて袋状に形成し、これを化粧ボードに被せて化粧ボードを被覆する。この時、袋状に縫い合わせた布地の裏面側に縫い代が形成される。この縫い代は各基板の段差溝によって形成される凹溝内に収容されるから、布地の表面側に皺などがよらずスッキリとした外観が得られる。また、この布地の縫い代を収容する凹溝は各基板が平板な状態で形成するので、基板の段差溝の切削加工などは化粧材の周縁に沿うように制御すればよいため、基板や化粧材の曲面に沿わるような三次元的な制御を行う必要はなく、生産加工性に優れる。
【００１６】
【発明の実施形態】
以下、本発明の実施例について図面を参照しながら説明する。図１〜図５は本発明の第１実施例に係る化粧ボードとしてベッドのヘッドボードＡを示している。このヘッドボードＡは、基板１と、その表面に接着剤により接着されて一体化された化粧材２とで構成されている。これら基板１と化粧材２は、合板、パーティクルボード、ＭＤＦ（中質繊維板）等の木質板材からなり、平板状の木質板材を裁断することによって基板１と化粧材２を成形している。また、基板１の周縁部は木口加工によって面取り部３が形成され、基板１の角部を丸めている。一方、化粧材２についても、木口加工によって周縁部にテーパー状の面取り部４が形成されている。そして、化粧材２は、アクリル系樹脂、ウレタン系樹脂等に、顔料、着色剤、耐摩耗材、希釈剤等を混合して調整した合成樹脂塗料によって表面に塗装層５を形成している。また、基板１はアクリル系やウレタン系等のトップクリアにより塗装層６を形成している。
【００１７】
このようにして平板状の木質板材を裁断して形成される基板１と化粧材２は、木口加工により面取り部３，４を形成し、さらに、基板１と化粧材２の表面に塗装層５，６を形成して仕上げた後、接着材によって貼り合わせる。なお、基板１と化粧材２は、貼り合わせた際、基板１と化粧材２を相互に位置決めするために、位置決め手段として基板１にいわゆるダボと呼ばれる複数の係合凸部10を組み付け、この係合凸部10を化粧材２に形成する係合凸部10と嵌合させて基板１と化粧材２とを相互に位置決めしている。そして、このように貼り合わせた基板１と化粧材２をプレス機などの一対の型７で挟み付けることによって上下方向に湾曲したヘッドボードＡを形成している。なお、化粧材２は基板１は同じサイズに裁断されているが、両者を貼り合わせて曲げ加工した後は、基板１の表面側に貼り合わせた化粧材２の外周縁が基板１の外周縁の内側に位置する。
【００１８】
以上のように本実施例では、木質板材の裁断工程を経て基板１と化粧材２を形成する。この後、基板１と化粧材２の縁部を木口加工して基板１と化粧材２の周縁部に面取り部３，４を形成し、さらに、基板１と化粧材２の表面を塗装処理する。これらの基板１と化粧材２の木口加工や塗装は基板１と化粧材２が平板な状態で行われるので、基板１と化粧材２の木口加工に際し、基板１と化粧材２の面取り部３，４を形成する切削加工機械は、基板１と化粧材２の縁部に沿わせて平面的に移動するだけでよい。また、化粧材２の塗装についても平板状のヘッドボードの製造工程と同様、基板１と化粧材２に対して平行に移動させて塗装することで均一的な塗装層５，６を形成することができる。このようして平板状の基板１と化粧材２に木口加工及び塗装処理を施した後、基板１と化粧材２を接着材により貼り合わせて一体化し、その貼り合わせた基板１と化粧材２をヘッドボードＡを型７に挟み付けて曲面状に曲げ加工する。こうして、ヘッドボードＡを構成する基板１と化粧材２の縁部には木口加工により面取り部３，４が形成され、また、化粧材２に塗装処理された曲面的なヘッドボードＡが形成される。したがって、従来、このような曲面状に形成されるヘッドボードＡにおいて木口加工や塗装処理は、ヘッドボードＡの曲面に沿わせる３次元的な制御が要求されるが、本実施例では、基板１と化粧材２に木口加工及び塗装処理は、曲げ加工を行う前の平板な状態で行うようにしているため、これを自動化する場合、高価な５軸制御機械を用いることなく、一般的なＮＣルータなどで加工できるため、ヘッドボードＡの製造コストを大巾に引き下げることが可能であるとともに生産加工性にも優れる。また、基板１と化粧材２は、木口加工により、その縁部を自由な形状に形成することが可能であるから、ヘッドボードＡとしてのデザインの自由度も高まる。また、化粧材２と基板１に施される塗装層５，６についても、これを機械により自動化する場合、平板な状態で化粧材２及び基板１に吹き付けることから、ヘッドボードＡの曲面に沿って吹き付けるといった複雑な制御が不用であり、簡単でかつ均一的な塗装を行うことができる。しかも、化粧材２と基板１をそれぞれ個別に塗装した後、貼り合わせることから、これら化粧材２と基板１を異色に塗装する場合、マスキングなどの処理も不要であり、また、化粧材２と基板１を異色に塗装することでツートンカラーとなり、色彩的にもカラフルなデザインとすることができる。
【００１９】
また、接着材にて貼り合わせた基板１と化粧材２は、基板１に設けた係合凸部10を化粧材２に形成する係合凸部10に嵌合させるため、基板１と化粧材２とが相互に位置決めされ、貼り合わせた基板１と化粧材２を曲面加工する際、基板１と化粧材２とがずれることなく、正確に位置決めされる。
【００２０】
なお、前記第１実施例では、ヘッドボードＡを上下方向に湾曲した例を示したが、図６に示すように左右方向に湾曲したり、図７に示すように、凹状に湾曲したもの、あるいは図８に示すように球面状に湾曲させてもよい。さらに、一定の曲率に曲げたものに限らず図９に示すように、複数の曲面Ｒ１，Ｒ２の組み合わせや図１０に示すようにフラットな直線部分Ｈと曲面Ｒ１との組み合わせ、あるいは図１１に示すように凹状に湾曲させた曲面Ｒ２と凸円弧状に湾曲させた曲面Ｒ１とを連続させた形状など種々の形状に適用可能である。
【００２１】
図１２及び図１３は本発明の第２実施例を示し、前記第１実施例と同一機能を有する部分は同一符号を付し、異なる部分についてのみ説明する。
【００２２】
前記実施例では、ヘッドボードＡを構成する基板１と化粧材２をそれぞえ木質板材で形成した例を示したが、本実施例では、木質板材で形成した基板１の表面に化粧材として金属板からなる格子状のパンチングメタル15を貼り合わせてヘッドボードＡを構成している。このように、木質板材で形成した基板１に金属素材のパンチングメタル15を貼り合わせることで異種の素材からなる複合的なヘッドボードＡとなり、新規なデザインのヘッドボードＡを形成することができる。また、この実施例においても前記第１実施例と同様、基板１が平板な状態で木口加工により基板１の周縁に湾曲状の面取り部３を形成し、この後、この基板１と格子状のパンチングメタル15を塗装して仕上げる。こうして加工した基板１とパンチングメタル15を貼り合わせて一体化し、その一体化した基板１と化粧材15をプレス機などによって曲面状に形成して湾曲したヘッドボードＡを成形している。これにより、前記第１実施例と同様、基板１の木口加工は一般的なＮＣルータなどで加工できるため、デザイン的に曲面状に形成したヘッドボードＡの製造コストを大巾に引き下げることが可能である。また、異種の素材を組み合わせた新規なデザインのヘッドボードＡを簡単に製作することできる。
【００２３】
図１４及び図１５は本発明の第３実施例を示し、前記各実施例と同一機能を有する部分は同一符号を付し、異なる部分についてのみ説明する。
【００２４】
前記各実施例では、２枚合わせてヘッドボードＡを示したが、本実施例では、基板１に薄板状の化粧材30を複数積層してヘッドボードＡを形成している。このように、基板１に複数の化粧材30を貼り合わせることで、立体感に優れ、かつ、湾曲したヘッドボードＡを簡単に形成することができる。
【００２５】
なお、本発明は前記実施例に限定されるものではなく、本発明の要旨に範囲内で種々の変形実施が可能である。例えば、前記実施例では、化粧ボードとしてヘッドボードを例に説明したが、これに限らず、ソファーや椅子の背板やひじ掛けあるいはチェストの前面板、テーブルなど各種の家具製品に適用可能であり、また、家具製品に限らず、扉パネルや間仕切り板などの建築用などの各種の製品に適用可能である。また、基板１あるいは化粧材２の形状は、使用する部位に応じて例えば円形に形成する等、適宜選定すればよい。このように基板１と化粧材２を円形にする場合、その全周に木口加工して面取り部３，４を形成すればよい。また、基板１と化粧材２に形成する面取り部３，４の形状も前記各実施例に限定されるものではなく、例えば、基板１と化粧材２の任意に縁部に形成するようにしてもよい。さらに、本発明の第２実施例では、異種の素材の組み合わせとして木質板材の基板１と金属製のパンチングメタル15を示したが、木質板材の基板１に表面に布地或いは皮貼りしてもよい。なお、布貼り場合、図１６に示すように、本発明の第４実施例に示すように、２枚の基板１を貼り合わせてヘッドボードＡを形成し、このヘッドボードＡを布地Ｂを被覆する。布地Ｂは、２枚の布地Ｂ１を袋状に縫い合わせて構成されるとともに、布地Ｂに内面側には薄いクッション材Ｈが介在する。そして、２枚の布地Ｂ１を袋状に縫い合わせてヘッドボードＡを被覆する場合、袋状に縫い合わた布地Ｂの裏面側に縫い代Ｃが形成される。このため、ヘッドボードＡに布地Ｂを被せた際、縫い代Ｃの部分が浮き上がって皺がよるなど体裁が悪くなる。これを解消するため、ヘッドボードＡを構成する各基板１の内縁に段差溝31を形成し、２枚の基板１を貼り合わせた際、各基板１の重ね合わせ面の周縁には段差溝31によって前記布地Ｂの縫い代Ｃを収容する凹溝32を形成している。なお、各段差溝31は前記各実施例と同様、各基板１が平板な状態の時、面取り部３とともに木口加工により形成する。これにより、段差溝31及び面取り部３の加工を一般的なＮＣルータなどで加工でき、ヘッドボードＡの製造コストを大巾に引き下げることが可能であるとともに生産加工性にも優れる。そして、段差溝31及び面取り部３を形成した２枚の基板１を貼り合わせて一体化したヘッドボードＡをプレス機などで曲げ加工して曲面状に形成する。この後、袋状に縫い合わせた布地ＢでヘッドボードＡを被覆するが、この際、布地Ｂに裏面側に形成される縫い代Ｃが各基板１の段差溝31によって形成される凹溝32に内部に収まるから、その縫い代Ｃが凹凸状の皺などの発生がなく、外観的にも体裁がよい。なお、木口加工によって各基板１に形成される段差溝31（凹溝32）は、図１６に示す本発明の第４実施例のように、布貼りする際の縫い代を収容する以外でも、図１７に示すように、ヘッドボードＡの外周を縁取りする際、アルミなどによって形成した縁取り状の装飾材33を嵌め入れることも可能である。
【００２６】
また、基板や化粧材などに施す加工も例えば図１８に示す本発明の第５実施例のように、化粧材１の表面に凹凸状の飾り部30を形成したり、図１９に示す本発明の第６実施例のように、基板１と化粧材２とに傾斜状の孔部30を平行に形成してもよい。このように、化粧材１の表面に切削によって凹凸状の飾り部30や孔部31を形成する場合、基板１と化粧材２が平板の状態で飾り部30や孔部30を加工することで極めて簡単に製作することができ、こうして飾り部30や孔部30を形成した基板１と化粧材２を貼り合わせた後、基板１と化粧材２を湾曲させることによって、飾り加工が施された曲面状のヘッドボードＡを簡単に製作することができる。また、基板１と化粧材２に孔部30を形成する場合、基板１と化粧材２とを相互に異色に塗装することで孔部30を通して背面側に位置する基板の色彩が視認することができ、これらのコントラストによって、よりデザイン性が高まる。また、基板１と化粧材２を貼り合わせる手段は、接着以外にもねじなどの固着手段によって接合するようにしてもよい。
【００２７】
【発明の効果】
発明の請求項１の曲面状化粧ボードの曲面形成方法によれば、平板状に形成された木製基板と、この基板に貼り合わせる平板状の化粧材とで化粧ボードを構成するとともに、少なくとも前記基板と化粧材のいずれか一方に、木口加工により飾り加工が施された縁部を形成し、前記基板と化粧材の表面に塗装層を形成して仕上げた後、前記基板と化粧材とを貼り合せて化粧ボードを一体化し、この化粧ボードを曲面状に曲げ加工したものであるから、基板や化粧材が平板な状態で周縁の木口加工を行うことで、生産加工性に優れ、しかも、曲面状に成形した基板や化粧材の周縁には木口加工により飾り加工が施された縁部を簡単に形成することができる。
【００２８】
本発明の請求項２の曲面状化粧ボードの曲面形成方法によれば、請求項１記載の曲面状化粧ボードの曲面形成方法において、前記基板と化粧材の貼り合せ時に、基板と化粧材とを位置決めする位置決め手段を設けたものであるから、化粧ボードを曲げる際、基板と化粧材がずれることなく、基板に対して化粧材を正確に固定することができる。
【００２９】
本発明の請求項３の曲面状化粧ボードの曲面形成方法によれば、請求項１記載の曲面状化粧ボードの曲面形成方法において、前記化粧材が前記基板と異質材料で形成されているものであるから、デザインの自由度も高まるとともに、新規なデザインにより商品価値も高まる。
【００３０】
本発明の請求項４の曲面状化粧ボードの曲面形成方法によれば、請求項２記載の曲面状化粧材の曲面形成方法において、前記位置決め手段が、前記基板と前記化粧材の接合面に設けた係合凸部と、この係合凸部と嵌合する係合凹部によって構成されているものであるから、基板と化粧材を貼り合せて一体化した後、化粧ボードを曲げる際、基板と化粧材がずれることなく、基板に対して化粧材が正確に固定される。
【００３１】
本発明の請求項５の曲面状化粧ボードの曲面形成方法によれば、前記基板に複数の化粧材を積層したものであるから、基板に積層した化粧材により、立体的な化粧ボードが得られる。
【００３２】
本発明の請求項６の曲面状化粧ボードの曲面形成方法は、平板状に形成された２枚の基板により化粧ボードを構成するとともに、少なくとも前記各基板の内縁に木口加工により段差溝を形成した後、これら基板を貼り合せて化粧ボードを一体化して曲面状に曲げ加工し、この曲面状に曲げ加工した化粧ボードを布地で被覆した時、その布地の裏面側に形成される縫い代を前記段差溝によって形成される凹溝内に収容したものであるから、曲面状に形成した化粧ボードを布地で覆う場合、布地の裏面側の縫い代が凹溝内に収容されるから、布地の表面側に皺などがよらずスッキリとした外観が得られる。
【図面の簡単な説明】
【図１】本発明の第１実施例を示すヘッドボードの斜視図である。
【図２】同上ヘッドボードの正面図である。
【図３】同上ヘッドボードの曲面加工時の断面図であり、図３（ａ）は曲面加工前、図３（ｂ）は曲面加工後を示している。
【図４】同上ヘッドボードの断面図である。
【図５】同上ヘッドボードの周縁部を拡大した断面図である。
【図６】同上ヘッドボードの左右方向に湾曲させた斜視図である。
【図７】同上ヘッドボードの凹状に湾曲させた斜視図である。
【図８】同上ヘッドボードの球状に湾曲させた斜視図である。
【図９】同上ヘッドボードの曲率を変えた変形例を示す断面図である。
【図１０】同上ヘッドボードに直線部分と曲面部とを形成した変形例を示す断面図である。
【図１１】同上ヘッドボードにＳ字状に湾曲させた変形例を示す断面図である。
【図１２】本発明の第２実施例を示すヘッドボードの正面図である。
【図１３】同上ヘッドボードの断面図である。
【図１４】本発明の第３実施例を示すヘッドボードの正面図である。
【図１５】同上ヘッドボードの断面図である。
【図１６】本発明の第４実施例を示すヘッドボードの要部の拡大断面図である。
【図１７】同上ヘッドボードの凹溝に装飾体を取り付けた変形例を示す要部の拡大断面図である。
【図１８】本発明の第５実施例を示すヘッドボードの斜視図である。
【図１９】本発明の第６実施例を示すヘッドボードの斜視図である。
【符号の説明】
１ 基板
２,30 化粧材
３，４ 面取り部
５，６塗装層
10 係合凸部
11 係合凹部
15 パンチングメタル（化粧材）
31 段差溝
Ａ ヘッドボード（化粧ボード）
Ｂ 布地
Ｃ 縫い代
【図１】
0003689907.tif 000002
【図２】
0003689907.tif 000003
【図３】
0003689907.tif 000004
【図４】
0003689907.tif 000005
【図５】
0003689907.tif 000006
【図６】
0003689907.tif 000007
【図７】
0003689907.tif 000008
【図８】
0003689907.tif 000009
【図９】
0003689907.tif 000010
【図１０】
0003689907.tif 000011
【図１１】
0003689907.tif 000012
【図１２】
0003689907.tif 000013
【図１３】
0003689907.tif 000014
【図１４】
0003689907.tif 000015
【図１５】
0003689907.tif 000016
【図１６】
0003689907.tif 000017
【図１７】
0003689907.tif 000018
【図１８】
0003689907.tif 000019
【図１９】
0003689907.tif 000020